(57)【要約】【課題】  体圧がかかる部分を受ける敷ふとんの中芯に工夫を凝らし、体圧を分散させる為の敷ふとんを提供する。【解決手段】  敷ふとん１は、ヘムＡと、キルティングＢと、側地Ｆと、巻綿Ｇと、内地Ｈと、中芯Ｉを備える。敷ふとん１は、布団平面を天部及び中心部及び地部に分けたときの中心部の中芯Ｉの固さを、天部及び地部の中芯Ｉよりも固くした。キルティングＢは、側地Ｆ及び巻綿Ｇ及び内地Ｈの固定のために必要に応じて適宜設けることができる。【選択図】  図２
2009183513.tif 000002
【特許請求の範囲】
【請求項１】
中芯と、
前記中芯の上面側及び下面側にそれぞれ設けられた第１内地及び第２内地と、
前記第１布及び第２布の上面側及び下面側にそれぞれ設けられた第１巻綿及び第２巻綿と、
前記第１巻綿及び第２巻綿の上面側及び下面側にそれぞれ設けられた第１側地及び第２側地と、
周囲に渡り設けられたヘムと
を備え、
布団平面を天部及び中心部及び地部に分けたときの中心部の前記中芯の固さを、天部及び地部の前記中芯よりも固くした
敷ふとん。
【請求項２】
前記中芯は、前記天部及び中心部及び地部に３分割されて、中芯カバーで覆われ、前記第１及び第２内地、前記第１及び第２巻綿、及び、前記第１側地及び第２側地は、前記天部及び中心部及び地部にわたり連続していることを特徴とする請求項１に記載の敷ふとん。
【請求項３】
前記中芯カバーは、前記天部と前記中心部との間及び前記中心部と前記地部との間で、上面又は下面の一方が、それぞれ縫製されることで、折りたたみ可能としたことを特徴とする請求項２に記載の敷ふとん。
【請求項４】
前記第１内地及び前記第１巻綿及び第１側地がキルティングで縫製され、前記第２内地及び前記第２巻綿及び第２側地がキルティングで縫製されていることを特徴とする請求項１乃至３のいずれかに記載の敷ふとん。
【請求項５】
前記中芯の固さは、綿の密度を調節することで、設定することを特徴とする請求項１乃至４のいずれかに記載の敷ふとん。
【請求項６】
前記内地は、不織布であることを特徴とする請求項１乃至５のいずれかに記載の敷ふとん。
【発明の詳細な説明】
【技術分野】
【０００１】
本発明は、敷ふとんに係り、特に、中芯の構造を工夫して体圧を分散させるための敷ふとんに関する。なお、本明細書中で、敷ふとんを「バランスタイプ敷ふとん」と呼ぶ場合がある。
【背景技術】
【０００２】
人の睡眠時に敷ふとんには体圧がかかる。そして、通常、頭、背中、腰、脚、足先と身体の部位を分けた場合、背中と腰に多くの体圧がかかる。
特許文献１は、大きさの異なる２種類の硬綿材を両端とその間で組み合わせて連結することにより、二つ折りもしくは三つ折りが自在にできる折り畳み式構造の寝具敷ふとんに関する。
【特許文献１】特開平１０−２８６１４５号公報
【発明の開示】
【発明が解決しようとする課題】
【０００３】
従来の敷ふとんにおいては、体圧を分散させるためには（例えば中芯を工夫するには）、構造、縫製、製造等に関する難問が山積みであった。
本発明は、以上の点に鑑み、体圧がかかる部分を受ける敷ふとんの中芯に工夫を凝らし、体圧を分散させる為の敷ふとんを提供することを目的とする。
【課題を解決するための手段】
【０００４】
本発明によると、中芯と、
前記中芯の上面側及び下面側にそれぞれ設けられた第１内地及び第２内地と、
前記第１布及び第２布の上面側及び下面側にそれぞれ設けられた第１巻綿及び第２巻綿と、
前記第１巻綿及び第２巻綿の上面側及び下面側にそれぞれ設けられた第１側地及び第２側地と、
周囲に渡り設けられたヘムと
を備え、
布団平面を天部及び中心部及び地部に分けたときの中心部の前記中芯の固さを、天部及び地部の前記中芯よりも固くした
敷ふとんが提供される。
【発明の効果】
【０００５】
本発明によると、体圧がかかる部分を受ける敷ふとんの中芯に工夫を凝らし、体圧を分散させる為の敷ふとんを提供することができる。
【発明を実施するための最良の形態】
【０００６】
１．バランスタイプ敷ふとんの概要
図１に、本実施の形態に係る敷ふとんの構成図を示す。図１（ａ）は敷ふとんの平面図を示し、図１（ｂ）はその側面図をそれぞれ示す。
図には、敷ふとん１が示され、特に、敷ふとんの天部Ｃと、敷ふとんの中心部Ｄと、敷ふとんの地部Ｅが示される。なお、図中、ヘムＡ、キルティングＢも示されている。敷ふとんで睡眠を取る場合、通常、Ｃ部分に頭部が、Ｄ部分に腰部が、Ｅ部分に足部がくる。そのため、通常Ｄの部分に体圧が一番かかることになる。よって、Ｃ部分、Ｅ部分と同じ構造でＤ部分を作成し、敷ふとんを製造した場合、Ｄ部分がへたりやすい傾向にある。そこで、へたりにくくする為Ｄ部分の構造を変える必要があり、本実施の形態では、敷ふとん１の中心部Ｄの中芯の固さを、天部Ｃ及び地部Ｅの中芯よりも固くした。
経たりにくくするための構造は、従来よりいろんな工夫がなされてきた。しかし、製造等に手間がかかるうえに、なかなかニーズに１００％応えられていないのが実情であった。本実施の形態は、そういった従来からの難問を完全にクリアーするものである。
【０００７】
図２に、本実施の形態に係る敷ふとんの部分断面図を示す。敷ふとん１は、ヘムＡと、キルティングＢと、側地Ｆと、巻綿Ｇと、内地Ｈと、中芯Ｉを備える。
本実施の形態では、敷ふとん１の中心部Ｄの中芯の固さを、天部Ｃ及び地部Ｅの中芯よりも固くするようにした。また、中心部Ｄの巻綿Ｇの固さは、天部Ｃ及び地部Ｅの巻綿Ｇの固さと同様とするようにした。なお、側地Ｆ、巻綿Ｇ、内地Ｈ、キルティングＢは、天部Ｃ及び中心部Ｄ及び地部Ｅで同じものを用いることができる。なお、巻綿の固さも、中心部Ｄは、天部Ｃ及び地部Ｅより固くしてもよい。
ヘム（周囲、ふち、折り返し）Ａ又はマチを、敷ふとん１の周囲にわたって備えることができる。ヘムＡは、この例では、シングルヘムを用いている。その他、ヘムＡとして上下に設けられたダブルヘム（ダブルヘム・マチ付でイージー式）バイヤステープなどを使用することができる。なお、通常のマチや、中芯固綿等による立体マチを設けたり、マチには、たるみをなくすため薄い硬綿等をあててもよい。
キルティングＢは、側地Ｆ及び巻綿Ｇ及び内地Ｈの固定のために必要に応じて適宜設けることができる。キルティングＢは、必要に応じて施されるものであり、例えば、多針キルト、多頭キルト等を採用することができる。また、キルティングＢを省略しても良い。キルティングＢの作用・効果としては、キルティングＢをしないと、使用時に綿切れ等が生じる場合がある。またキルティングＢが多いほど耐久性は増すが、ふくれが少なくなったり、保温性が損なわれる場合がある。よって、キルティングＢの数は、この点を考慮して適宜定めることができる。
側地Ｆとしては、例えば、綿１００％など天然素材、化学繊維素材、ビニール、ポリエステルタフタ等のタフタ等の適宜の生地を使用することができる。
巻綿Ｇは、適宜の量、厚さ、固さ等とすることができ、さらに、材料も綿に限らず、天然材料、機能綿（防ダニ綿、遠赤綿、マイナスイオン綿、羊毛、水で丸洗い可能な綿等）、ポリエステル等の化学材料、羽毛、ビーズ、スチロール、樹脂等、適宜の材料を用いることができる。巻綿Ｇは、使用する者の多種多様なニーズに応じて、いろいろな機能綿を用いて生産することが可能である。
内地Ｈは、好ましくは不織布が用いられ、その他にも例えば、不織布ポリエステルタフタ等のタフタ、化学繊維など適宜の生地等を用いることができる。不織布等の内地Ｈを施すのは、巻綿Ｇと中芯Ｉの間（巻綿Ｇと内地Ｈの間、内地Ｈと中芯Ｉの間）に空気層を作る事と、巻綿Ｇと中芯Ｉを同化させない為である。このような空気層を作る事で保温力が増す。また、内地Ｈは、巻綿Ｇを保持する為のものでもある。
中芯Ｉの材料は、例えば、天然固綿材、若しくは、ポリエステル綿７０％とポリエステル低融点綿３０％の固綿、ウレタンフォーム、等を用いることができる。また、中芯Ｉの固綿の材料の性質としては、特に吸発汗性に優れた原材料を使用するとよい。さらに、中芯Ｉの各々は、体圧に応じてそれぞれ異なる固さとすることができる。これによって、体の部位によって固さ・圧力・体感を変えることができ、顧客のニーズに対応可能とすることができる。なお、中芯Ｉのその長さ、大きさ、個数等も適宜定めることができる。
【０００８】
２．第１の実施の形態のバランスタイプ敷ふとん
図３に、第１の実施の形態の敷ふとんの平面図を示す。この図は、図１のＸ−Ｘ'切断図である。また、図４に、第１の実施の形態の敷ふとんの側面図を示す。
この実施の形態は、敷ふとん１の中芯Ｉを、天部Ｃ、中心部Ｄ、地部Ｅで３部分の中芯Ｌ１〜Ｌ３に分けた構造である。
この実施の形態では、中芯Ｌ１〜Ｌ３は、中芯カバーＪにより覆われており、さらに各中芯Ｌ１〜Ｌ３は、中芯カバーの仕切りＫ１及びＫ２で仕切られている。これにより中芯Ｌ１〜Ｌ３は所定の位置に一層しっかりと保持される。中芯カバーＪは、例えば不織布等、内地Ｈと同様の材料を用いることができる。
本実施の形態の敷ふとん１は、以下の各実施の形態でも同様に、図１で示したＣ部分及びＥ部分の構造と、Ｄ部分の構造とを変えている。但し、変えているのは、中芯Ｉの部分のみである。すなわち、中芯Ｌ２に体圧が多く掛かる為、中芯Ｌ１及びＬ３より固くするように、固さを変えている。固くするための手法としては、例えば、中芯Ｌ２を中芯Ｌ１及びＬ３より綿の密度を増やす方法や、固綿の材料を固いものとする方法等適宜実施することができる。
なお、製造上苦労する点のひとつは、Ｄ部分の構造を変える事もさることながら、Ｉ部分の固定である。Ｋ部分の仕切の縫製加減も難問であった。Ｊ１部分をヘム加工時に同時に縫製する作業も難問であった。しかし、それらの難問を、熟練の手作業と人界戦術でクリアーした。中芯Ｉ部分の固定は、例えば、ヘムＡの加工をする際に、中芯カバーの額部分Ｊ１（図３）を都度巻きこみながら縫ってゆく方法で固定する（この過程が最も技術と時間を要するもののひとつである）。
また、この実施の形態では、三つ折可能な様に仕切りＫ１は上面、仕切りＫ２は下面を空けるように構成されている。なお、仕切りＫ１及びＫ２の空き部分は、逆でも良い。
【産業上の利用可能性】
【０００９】
本発明は、シングルサイズに限らず、ダブルサイズや、クイーンサイズ、キングサイズ等の大きいサイズ敷ふとんにも適用することができる。
【図面の簡単な説明】
【００１０】
【図１】本実施の形態に係る敷ふとんの構成図。
【図２】本実施の形態に係る敷ふとんの部分断面図。
【図３】第１の実施の形態の敷ふとんの平面図。
【図４】第１の実施の形態の敷ふとんの側面図。
【符号の説明】
【００１１】
１  敷ふとん
Ａ  ヘム
Ｂ  キルティング
Ｃ  敷ふとんの天部
Ｄ  敷ふとんの中心部
Ｅ  敷ふとんの地部
Ｆ  側地
Ｇ  巻綿
Ｈ  内地
Ｉ  中芯
Ｊ  中芯カバー（不織布）
Ｊ１  中芯カバーの額部分
Ｋ  中芯カバーの仕切
Ｌ１〜Ｌ３  中芯
【図１】
2009183513.tif 000003
【図２】
2009183513.tif 000004
【図３】
2009183513.tif 000005
【図４】
2009183513.tif 000006